(57)【要約】【課題】動力付き座り捻り駆動走行体を提供することを目的としている。【解決手段】座り捻り駆動走行体の頭部に原動機ブロア１が設けられ、胴部に座面２が設けられ、尻部３に後方噴射推進倍増尻穴装置４が設けられており、該尻穴装置４にはこれをカバーしうる尻尾５が設けられてなる構成。【選択図】図１
2012024115.tif 000002
【特許請求の範囲】
【請求項１】
座り捻り駆動走行体の頭部に原動機ブロア１が設けられ、胴部に座面２が設けられ、尻部３に後方噴射推進倍増尻穴装置４が設けられていることを特徴とする座り捻り駆動走行体
【請求項２】
座り捻り駆動走行体の頭部に原動機ブロア１が設けられ、胴部に座面２が設けられ、尻部に後方噴射推進倍増尻穴装置４が設けられ、該尻穴装置４の上部に制御尻尾５が設けられたことを特徴とする座り捻り駆動走行体
【請求項３】
上記後方噴射推進倍増尻穴装置４が、ヘッドシャワー形状となされて成ることを特徴とする請求項１に記載の座り捻り駆動走行体
【請求項４】
上記後方噴射推進倍増尻穴装置４が、噴射リング形状となされて成ることを特徴とする請求項１に記載の動力付き走る座布団
【請求項５】
上記後方噴射推進倍増尻穴装置４の後方に、制御ボール５が設けられてなることを特徴とする請求項１に記載の座り捻り駆動走行体
【請求項６】
上記後方噴射推進倍増尻穴装置４の後方に、２重漏斗翼２４が設けられていることを特徴とする請求項１に記載の座り捻り駆動走行体
【請求項７】
上記後方噴射推進倍増尻穴装置４の後方に、S字ホース翼が設けられてなることを特徴とする請求項１に記載の座り捻り駆動走行体
【請求項８】
上記後方噴射推進倍増尻穴装置４の後方に、タービンファンが回転自在に設けられて成ることを特徴とする請求項１に記載の座り捻り駆動走行体
【請求項９】
上記後方噴射推進倍増尻穴装置４の後部が鯉幟７となされて成ることを特徴とする請求項１に記載の座り捻り駆動走行体
【請求項１０】
上記後方噴射推進倍増尻穴装置４の後部がくらげ形状体８となされたことを特徴とする請求項１に記載の座り捻り駆動走行体
【発明の詳細な説明】
【技術分野】
【０００１】
本発明は、動力装置付きの座り捻り駆動走行体に関している。
【背景技術】
【０００２】
この上に座して乗り、座り姿勢で身体をくねらせて人力で駆動走行させる、いわゆる「走る座布団」が知られている。しかしながら、長時間駆動走行になると人力だけでは疲れるので、これに動力をつけて楽に走行できるようにしたいという欲求が生まれた。
【０００３】
しかし、座り捻り駆動走行体は車体裏面に設けられた全車輪を振れさせながら人力で駆動走行する構造なので、車輪に回転動力を付与し自動走行することが困難であった。
【先行技術文献】
【特許文献】
【０００４】
【特許文献１】特許４１７８１９８号公報
【発明の概要】
【発明が解決しようとする課題】
【０００５】
当初、座り捻り駆動走行体に電動駆動車輪を余分に付け且つバッテリーを載せ、これにより推進するものを作ってみたが、これではモーターやバッテリー重量が過大になり、且つ、駆動車輪の接地状態が悪く、駆動走行にムラが出て走行が安定しないことが判明した。
そこで、重量が軽く、パワーがあってより確実な駆動装置を座り捻り駆動走行装置に装着する必要に迫られた。
【０００６】
本発明は、このような従来の課題を解決しようとするもので、空気噴射の動力装置をこの座り捻り駆動走行体に取り付け、空気噴射ジェットを利用して走行する座り捻り駆動走行体を試作し、走らせることを試みた。
【課題を解決するための手段】
【０００７】
本発明は、座り捻り駆動走行体への動力付与問題点を解消し、圧力空気を噴射できる原動機ブロアを走る座布団の頭部に装着し、胴部に座面を設け、尻部に後方噴射推進倍増尻穴装置を設け、頭、胴、尻を持つ動物乗り物型デザインの座り捻り駆動走行体にすることで、安定確実駆動走行が出来る構成にしたものである。
【０００８】
本願請求項1番目の発明によれば、座り捻り駆動走行体の頭部に原動機ブロア１を装着し、胴部に座面２を設け、尻部３に後方噴射推進尻穴装置４を設け、該尻穴装置４から後方に噴射する空気で推進アシストしうるようになしたことで、人力＋動力で楽に走行し運転出来る座り捻り駆動走行体の構成とした。
【０００９】
本願請求項２番目の発明によれば、座り捻り駆動走行体の頭部に原動機ブロア１を装着し、胴部に座面２を設け、尻部３に後方噴射推進尻穴装置４を設け、該尻穴装置４をカバーしうる尾体５を設けることで、動物型デザインにもできる、ブレーキ機能を持つ座り捻り駆動走行体の構成となした。
【００１０】
また、本願請求項３番目の発明では、座り捻り駆動走行体の頭部に原動機ブロア１を装着し，胴部に座面２を設け、尻部３に後方噴射推進倍増尻穴装置４を設け、該後方噴射推進倍増尻穴装置４をシャワーヘッド形状となしたことを特徴とする座り捻り駆動走行体とした。
【００１１】
また、本願請求項４番目の発明では、上記後方噴射推進倍増尻穴装置３をリングシャワー形状となしリング内側の空気を後方に送り出しうる構成とした。
【００１２】
また、本願請求項５番目の発明では、上記後方噴射推進倍増尻穴装置４に噴流制御ボール５を取り入れ、ボール表面に添って噴流が広がり、周りの空気を大量に巻き込み、推進力を増す構成とした。
【００１３】
また、本願請求項６番目の発明では、上記後方噴射推進倍増尻穴装置４の形状を２重漏斗型とし、後方の漏斗にお椀翼２４を設けて翼面流を増加させる構成とした。
【００１４】
また、本願請求項７番目の発明では、上記後方噴射推進倍増尻穴装置４が、S字ホース旋回スクリュウ付きとなされ、スクリュウによる推進力増加をさせるようにして成る構成
【００１５】
上記後方噴射推進倍増尻穴装置４の内部にタービン付き同軸ファン３２のタービン部を回転自在に設け、ファン部を外部に配置させてファンによる推進増加をさせるようにしてなる構成。
【００１６】
上記後方噴射推進倍増尻穴装置４の後部に、尻穴よりも口径の大きい鯉幟７が装着され、尻穴廻りの空気を吸引し鯉幟７の口から中に送り込むようになされて成る構成
【００１７】
上記後方噴射推進倍増尻穴装置４の後部に、尻穴よりも大きいくらげ形状体８が装着され、該くらげ形状体８の表面に沿って噴流が広がり、くらげ脚をばたつかせながら周りの空気を吸引し後方に送るようになされて成る構成
【発明の効果】
【００１８】
上記第１の課題解決手段による作用効果は次の通りである。
本願第1番目の動力付き走る座布団では、座り捻り駆動走行体の頭部に原動機ブロア１が設けられ、胴部に座面２が設けられ、尻部３に後方噴射推進倍増尻穴装置４が形成されてなる構成であるから、人力＋動力駆動で、疲れずに長時間走行できる利点がある。
【００１９】
本発明第２番目の座り捻り駆動走行体では、頭部に原動機ブロア１が設けられ、胴部に座面２が設けられ、尻部３に後方噴射推進倍増尻穴装置４が形成され、該尻穴装置４にはこれをカバーしうる尻尾５が設けられて成る構成であるから、尻尾５で尻穴装置４をカバーしてリバースブレーキする機能があり、安心して走行できる。また、不使用時には尻尾５で尻穴装置４をカバーすることで、子供が尻穴装置４に手を突っ込むことを防止できる。
【００２０】
更に、本発明第３番目の発明では、上記後方噴射推進倍増尻穴装置４が多数の噴射小穴を持つシャワーヘッド構造となされているので空気伴流を何倍にもして後方に噴射し、推進力を倍増することができる。
【００２１】
また、本発明第４番目の発明では、上記後方噴射推進倍増尻穴装置４がリングシャワー構造であるから、リング内側の空気を前から吸い込んで後方に噴射するので高効率噴射推進ができる。
【００２２】
本発明第５番目の発明では、上記後方噴射推進倍増尻穴装置４後部に、ボール制御装置５が設けられて成るから、このボール制御装置５の湾曲面に沿って噴射流を制御でき、右に曲がったり左に曲がったり、リバースブレーキをかけたりできる。
【００２３】
また、本発明第６番目の発明では、上記後方噴射推進尻穴装置４が、２重漏斗形状となされ、後方の漏斗には湾曲翼２４が設けられて成るから、湾曲翼２４の吸い込み効果により漏斗周囲の空気を多量に巻き込んで後方に送るから、推進力を極めて強くして、楽に走行できる。
【００２４】
更に、本発明７番目の発明では、上記後方噴射推進尻穴装置４の後部に噴射口４０，４２を持つS字ホースファンが回転自在に設けられ、上翼４４と下翼４６でスクリュウ推進しうるようになされて成るから、このS字ホースファンが扇風機のように回転駆動されて、後方に強力送風を起こすことができる。
【００２５】
更に、本発明第８番目の発明では、上記後方噴射推進倍増尻穴装置４のパイプ内部にタービン付きファンのタービン部４８が設けられ、ファン部４６が外部に設けられてなるから、タービンに廻されたファンが多量の空気を後方に送り出し、推進力を著しく倍増することができる。
【００２６】
また、本発明第９番目の発明では、上記後方噴射推進倍増尻穴装置４が鯉幟７を持つ構成を持つから、見た目の楽しい子供向けデザインの乗り物となる。
【００２７】
また、本発明第１０番目の発明では、上記後方噴射推進倍増尻穴装置４がくらげ形状体８を持つから、見た目の楽しい子供向けデザインの乗り物となる。
【図面の簡単な説明】
【００２８】
【図１】本発明座り捻り駆動走行体の第１実施例を示す側面図
【図２】本発明座り捻り駆動走行体の第２実施例を示す側面図
【図３】本発明座り捻り駆動走行体の第３実施例を示す側面図
【図４】本発明座り捻り駆動走行体の第４実施例を示す側面図
【図５】本発明座り捻り駆動走行体の第５実施例を示す側面図
【図６】本発明座り捻り駆動走行体の第６実施例を示す側面図
【図７】本発明座り捻り駆動走行体の第７実施例を示す側面図
【図８】本発明座り捻り駆動走行体の第８実施例を示す側面図
【発明を実施するための形態】
【００２９】
以下、本発明の実施の形態について、詳細に説明する
【実施例１】
【００３０】
本発明座り捻り駆動走行体の一例を第１図に示す。
座り捻り駆動走行体の頭部に原動機ブロア１が装着され、胴部に座面２が形成され、尻部３に人面形状のシャワーヘッド型後方噴射推進倍増尻穴装置４が設けられている。５は尻尾であってお面形状をなし、前記人面シャワーヘッド型後方噴射推進倍増尻穴装置４を手動で押し下げてカバーし、且つリバースブレーキをかけられるようになされている。６は弾性ばねであり、お面形状の尻尾５を水平に上げておく役目をもつ。
１０は台板であり、この裏面に前部首振脚車１２及び後部首振脚車１４が設けられ、運転者が身体を交互に捻って駆動運動を起こすと、４個の首振脚車１２，１４が一斉に揺動推進し、４輪駆動スタイルで走るようになされている。
（特許第４１７８１９８号参照）
【００３１】
図１の原動機ブロア１は、マキタEUB4250ガソリン４ストローク２５ｃｃエンジンブロア（風量10&#13221;/min、重量4.7Kg）市販品を流用している。胴部には座面２が設けられ、運転者が座りうるようになされている。尻部３に設けられてなる人面シャワーヘッド形状の後方噴射推進倍増尻穴装置４は、前記原動機ブロア１と連通パイプ２０で後方に送られた圧力空気を噴出し周辺の空気を巻き込んで後方に送りうるようになされている。
【００３２】
４の後方噴射推進倍増尻穴装置は、人面シャワーヘッドの後方表面に穿設された多数の小穴から圧力空気を後方に噴射しうるようになされている。
【００３３】
５はお面形状の尻尾であり、運転者が手で押し下げることで、前記後方噴射推進倍増尻穴装置４の人面部に被さって塞ぎ、もしくはカバーして噴流を偏向させうるようになされている。６は弾性ばねであって、走行時はお面尻尾５を上げておき、運転者はこの弾性ばねに抗して手動でお面型尻尾５を押さえ込んでリバースブレーキをかけうるようになされている。
【００３４】
このような構造の座り捻り駆動走行体では、運転者は座面２に乗車し、台板１０に両足を乗せ、上半身を左右に交互に捻ることで、脚車１２、１４に駆動力を与えてスタートし、勢いが付いたところで原動機ブロア１を動かし、尻部３の人面シャワー形状の尻穴装置４から空気を後方に噴射してその反動力で強力な推進力を生み出し、疾走する。  停止したい時には、運転者が手で、お面形状尻尾５を押し下げて、リバースブレーキをかせ、緩やかに停止させる。
【実施例２】
【００３５】
本発明座り捻り駆動走行体の２番目の実施例を図２に示す。
このものでは、頭部の原動機ブロワ１から連通パイプ２０の吹出口に繋がるのが、尻部３に形成された噴射リング型の後方噴射推進倍増尻穴装置４であって、尻部３の上方に配設されている。該尻穴装置４はドーナツ型噴射リングの内側やや後方に向けて直径５ｍｍのものが１００個設けられており、ドーナツ型噴射リング内側の空気を１０倍増して前方から後方に向けて加速して推進力を約１０倍増するようになされている。（１００個の尻穴直径５ｍｍの周長は５０ｍｍ尻穴１個の周長の１０倍だから伴流空気も１０倍になる）
【００３６】
５はお椀形尻尾で、前記尻穴装置４の形成されたドーナツ型噴射リングの上部に設けられており、噴射リングを塞ぎうるようになされ、弾性体６により常時は持ち上げられている。
その他の点は前記実施例と同様である。
運転者は、スタート時には上半身を左右に捻って駆動推進するが、速度が上がった時点で原動機ブロア１を動かし、ドーナツ型噴射リングのジェット推進でアシストされ、疾走する。
停止したい時には、お椀形尻尾５を押し下げて噴流にリバースを与え、緩やかに停止させる。
【実施例３】
【００３７】
本発明座り捻り駆動走行体の3番目の実施例を図３に示す。
このものは尻部３に設けられた後方噴射推進倍増尻穴装置４にスイカ形状の制御ボール５が取り付けられ、該制御ボール５を手動制御しうる制御装置５０が設けられている。
その他の構成は前記実施例と同様である。
しかして、上記尻穴装置４から噴出した圧力空気はスイカ形状の制御ボール５の湾曲表面に沿って広がり、後方に流れ、周りの空気を多量に巻き込んで後方噴射量を増やし、推進力を倍増させる。
スイカ形状の制御ボール５を右に動かせば噴流が右に向き、制御ボール５を左に動かせば噴流が左に向く、該制御ボール５で尻穴４を塞いでやれば推進力がなくなり、停止する。
【実施例４】
【００３８】
本発明座り捻り駆動走行体の第４実施例を図４に示す。
このものは、尻部３に設けられる後方噴射推進倍増尻穴装置４が、漏斗のようなコーン形状のデザイン例を示す。
２個重なった漏斗の間から空気がリング状に噴出するようになされ、後方の漏斗は連通パイプ２０にネジ２２により固定され、漏斗外縁は湾曲翼２４形状となされ、この湾曲翼２４に沿って尻穴装置４からの翼面噴流がその周囲の空気をベルヌーイの法則で後方へ吸引巻き込みすることで推進力を倍増する。
【００３９】
漏斗は若干変形するので、運転者がこれを手で押さえて変形させる事で噴流制御し、漏斗の右もしくは左を押さえると噴流状態が変わり、右もしくは左に推進力を変更させ進路を変更させることができる。
その他の構成は前記実施例と同様である。
【実施例５】
【００４０】
本発明座り捻り駆動走行体の第５実施例を図5に示す。
このものは、尻部に設けられた後方噴射推進倍増尻穴装置４が、S字ホース翼形状となされた物を示す。即ち、尻穴装置４はT字管により２又に別れてS字ホース翼の下端穴４０と上端穴４２となってこの両方の穴から空気を噴出し、全体を回転させるようになされている。更にS字ホース翼は上翼４４と下翼４６とを回転対象に設け、スクリュウプロペラ形状としている。
【００４１】
上記構造の座り捻り駆動走行体では、座面２に座った運転者が上半身を左右に捻って座り捻り駆動し、それから、頭部の原動機ブロア１からの圧縮空気を尻部３の尻穴装置４の尻穴４０、４２から噴出させ、S字ホース翼を回転させることで翼４４，４６をスクリュウ推進させ、強力な推進力を生み出す。
【実施例６】
【００４２】
本発明座り捻り駆動走行体の第６実施例を図６に示す。
このものは、後方噴射推進倍増尻穴装置４が、タービンファン付きのものであって、連通パイプ２０の後部に固定ビス４９が設けられ、この固定ビス４９にはタービンファンが回転自在に設けられている。タービンファンは小径タービン４８とこれと一体の大径ファン４６とを持ち、小径タービン４８は尻穴４の内部噴流の中に配置され、大径ファン４６は尻穴装置４の外側に配置されている。
しかして、連通パイプ２０からの圧縮空気は小径タービン４８を廻して尻穴装置４から噴出し、小径タービンと一体の大径ファン４６は扇風機のようになって大量の周辺空気を後方に送り出す。
【００４３】
上記構造の座り捻り駆動走行体では、運転者が胴部の座面２に座り、上半身を左右に捻って駆動運動を起こし、脚車１２，１４に推進力を与えて、スタートするが、次いで、頭部の原動機ブロア１を動かしてジェット噴流を起こし、尻穴装置４のタービンファンを廻して扇風機のように大量の周辺空気を巻き込んで後方へ送ることで推進力を著しく倍増できるのである。
走る座布団（特許4178198）を空気ジェット推進動力付きとする事で、運転者は、楽に、長時間走行することが出来る。
【００４４】
本発明座り捻り駆動走行体の第７実施例を図７に示す。
後方噴射推進倍増尻穴装置４の後部が、尻穴よりも口径の大きな鯉幟７を持つ構成となされ、尻穴からの噴流が尻穴廻りの空気を吸い込んで鯉幟７の中に送り込むように配設されている。
その他の構成は前記実施例と同様である。
【００４５】
本発明座り捻り駆動走行体の第８実施例を図８に示す。
前記実施例と同様であるが、後部が違っており、後方噴射推進倍増尻穴装置４の後部が、くらげ形状体８となされて、尻穴からの噴流がくらげ形状体８の表面に沿って広がり、多数のくらげ足をばたつかせながら後方に流れ、尻穴廻り空気をベルヌーイの定理で多量に巻き込んで後方に噴出する。
くらげ形状体８は中空となされており、その前部にシャッター９が設けられており、これを持ち上げると尻穴からの噴流がくらげ形状体８の中に入り、噴流が広がり推進力が停止する。
走行中に、くらげ形状体８の足の動く所が面白い。
【産業上の利用可能性】
【００４６】
本発明座り捻り駆動走行体では、動力付きであるから、屋外での移動手段として有効である。また、これ全体を浮き輪やゴムボートに載せて、空気噴射推進で水上を移動することも出来、水陸両用乗り物に仕立て上げることもできる。
【符号の説明】
【００４７】
１  原動機ブロア
２  胴部座面
３  尻部
４  後方噴射推進倍増尻穴装置
５  制御尻尾
６  弾性ばね
７  鯉幟
８  くらげ形状体
１０  台板
１２  前部脚車
１４  後部脚車
２０  連通パイプ
２２  固定ネジ
２４  湾曲翼
４０  下端穴
４２  上端穴
４４  上翼
４６  下翼
５０  制御装置
【図１】
2012024115.tif 000003
【図２】
2012024115.tif 000004
【図３】
2012024115.tif 000005
【図４】
2012024115.tif 000006
【図５】
2012024115.tif 000007
【図６】
2012024115.tif 000008
【図７】
2012024115.tif 000009
【図８】
2012024115.tif 000010